(57)【要約】      （修正有）【課題】携帯性に優れた遺灰入れを提供する。【解決手段】カード状をなすケース本体Ｂを有し、ケース本体の内部に遺灰を収容し得る収容空間ｓｐが形成された遺灰入れＡであり、ケース本体は、正面視及び背面視において略矩形状をなすとともに厚み寸法が１．８〜２．２ｍｍの範囲内に設定されている。ケース本体は、矩形板状をなす前ケース部材Ｃと、前ケース部材と同じ大きさをなす矩形板状をなす後ケース部材とを有し、前ケース部材の背面側に後ケース部材が取り付けられている。【選択図】図１
0003227710.tif 000002
【実用新案登録請求の範囲】
【請求項１】
カード状をなすケース本体を有し、当該ケース本体の内部に遺灰を収容し得る収容空間が形成された遺灰入れであって、
前記ケース本体が、正面視及び背面視において略矩形状をなすとともに厚み寸法が１．８〜２．２ｍｍの範囲内に設定されている遺灰入れ。
【請求項２】
前記ケース本体が、矩形板状をなす前ケース部材と、この前ケース部材と同じ大きさをなす矩形板状をなす後ケース部材とを有し、前記前ケース部材の背面側に前記後ケース部材が取り付けられたものであり、
前記前ケース部材における背面側及び前記後ケース部材における前面側の双方又は何れか一方に前記収容空間を形成し得る凹陥部が設けられている請求項１記載の遺灰入れ。
【請求項３】
前記前ケース部材と前記後ケース部材とが金属製のものであり、ねじにより相互に連結されている請求項２記載の遺灰入れ。
【請求項４】
前記ケース本体は、上下方向の寸法が４４ｍｍに設定されたものであり、左右方向の寸法が７５ｍｍに設定されたものである請求項１、２又は３記載の遺灰入れ。
【考案の詳細な説明】
【技術分野】
【０００１】
本考案は、人や動物の遺灰を収容し得る遺灰入れに関する。
【背景技術】
【０００２】
従来から種々の遺灰入れが存在している（例えば特許文献１参照）。
【０００３】
近年では、人や愛玩動物の遺灰をできるだけ身近に位置させておきたいというニーズが高まっているにも関わらず、従来の遺灰入れは、そのニーズに対して適切に対応できないものとなっていた。
【先行技術文献】
【特許文献】
【０００４】
【特許文献１】特許第６６３８１２６号公報
【考案の概要】
【考案が解決しようとする課題】
【０００５】
本考案は、このような課題に着目してなされたものであって、少なくとも、携帯性に優れた遺灰入れを提供することにある。
【課題を解決するための手段】
【０００６】
すなわち、本考案は次の構成をなしている。
【０００７】
請求項１に記載の考案は、カード状をなすケース本体を有し、当該ケース本体の内部に遺灰を収容し得る収容空間が形成された遺灰入れであって、前記ケース本体が、正面視及び背面視において略矩形状をなすとともに厚み寸法が１．８〜２．２ｍｍの範囲内に設定されている遺灰入れである。
【０００８】
請求項２に記載の考案は、前記ケース本体が、矩形板状をなす前ケース部材と、この前ケース部材と同じ大きさをなす矩形板状をなす後ケース部材とを有し、前記前ケース部材の背面側に前記後ケース部材が取り付けられたものであり、前記前ケース部材における背面側及び前記後ケース部材における前面側の双方又は何れか一方に前記収容空間を形成し得る凹陥部が設けられている請求項１記載の遺灰入れである。
【０００９】
請求項３に記載の考案は、前記前ケース部材と前記後ケース部材とが金属製のものであり、ねじにより相互に連結されている請求項２記載の遺灰入れである。
【００１０】
請求項４に記載の考案は、前記ケース本体は、上下方向の寸法が４４ｍｍに設定されたものであり、左右方向の寸法が７５ｍｍに設定されたものである請求項１、２又は３記載の遺灰入れである。
【考案の効果】
【００１１】
以上説明したように本考案によれば、携帯性に優れた遺灰入れを提供することができるものとなる。
【図面の簡単な説明】
【００１２】
【図１】本考案の一実施形態を示す正面図。
【図２】同実施形態における背面図。
【図３】図１におけるＸ−Ｘ線断面図。
【図４】同実施形態における分解斜視図。
【図５】他の実施形態を示す正面図。
【図６】他の実施形態を示す正面図。
【図７】他の実施形態を示す正面図。
【考案を実施するための形態】
【００１３】
以下、本考案の一実施形態を、図１〜４を参照して説明する。
【００１４】
遺灰入れＡは、広く一般に流通しているクレジットカードや免許証等に近似した形状すなわちカード状をなしている。遺灰入れＡの内部には、人や動物の遺灰（図示せず）を収容し得る収容空間ｓｐが設けられている。
【００１５】
遺灰入れＡは、横長のカード状をなすケース本体Ｂにより構成されたものである。ケース本体Ｂの内部には、遺灰を収容し得る収容空間ｓｐが形成されている。
【００１６】
＜＜ケース本体Ｂ＞＞
ケース本体Ｂは、正面視及び背面視において略矩形状をなしている。ケース本体Ｂの厚み寸法ｗ３は、１．８〜２．２ｍｍの範囲内に設定されている。この実施形態では、ケース本体Ｂの厚み寸法ｗ３が２．０ｍｍに設定されている。
【００１７】
ケース本体Ｂにおける上下方向の寸法ｗ１は、４２〜４６ｍｍの範囲内に設定されている。この実施形態では、ケース本体Ｂの上下方向の寸法ｗ１が４４ｍｍに設定されている。
【００１８】
ケース本体Ｂにおける左右方向の寸法ｗ２は、７３〜７７ｍｍの範囲内に設定されている。この実施形態では、ケース本体Ｂの上下方向の寸法ｗ１が７５ｍｍに設定されている。
【００１９】
ケース本体Ｂの厚み寸法ｗ３は、国際規格（ＩＤ−１）で定められているクレジットカードや免許証等のカードサイズの厚み寸法（０．７６ｍｍ）と比較して長く設定されている。一方で、ケース本体Ｂにおける上下方向（縦方向）及び左右方向（横方向）の寸法ｗ１、ｗ２は、国際規格（ＩＤ−１）で定められているクレジットカードや免許証のカードサイズの寸法（縦：５３．９８ｍｍ、横：８５．６０ｍｍ）と比較して短く設定されている。。
【００２０】
つまり、ケース本体Ｂは、遺灰を収容するための収容空間ｓｐを形成するために、一般的なカードサイズよりも厚いものとなっている。そのため、ケース本体Ｂの縦幅及び横幅を一般的なカードサイズのものよりも短く設定することにより、ケース本体Ｂが財布等に設けられたカード用のポケットに対して無理なく収容されるものとなっている。
【００２１】
ケース本体Ｂは、矩形板状をなす前ケース部材Ｃと、前ケース部材Ｃと同じ大きさをなす後ケース部材Ｄとを有している。ケース本体Ｂは、前ケース部材Ｃの背面側に後ケース部材Ｄを取り付けてなるものである。換言すれば、前ケース部材Ｃと後ケース部材Ｄはそれぞれ同じ上下方向及び左右方向の寸法ｗ１、ｗ２をなしたものであり、それらを重ね合わせて一体化することにより、ケース本体Ｂが作られている。前ケース部材Ｃ及び後ケース部材Ｄは、それぞれ金属製（アルミ製・ステンレス製・チタン製）のものである。前ケース部材Ｃと後ケース部材Ｄとは、複数のねじｖにより相互に連結されている。
【００２２】
＜前ケース部材Ｃ＞
前ケース部材Ｃの前面には、例えば、故人又はペットの名前や、当該故人又はペットに関するその他の情報や、模様等の表示Ｈを任意に示すことができるようになっている。前ケース部材Ｃの前面は略平滑面であり、その平滑面に対して例えばレーザー等を使用することにより表示Ｈを設けることができるようになっている。
【００２３】
前ケース部材Ｃの背面（内面）には、中央部に形成された凹陥部たる第一の凹陥部ｋ１と、第一の凹陥部ｋ１の外側を取り囲む囲い溝たる第一の囲い溝ｍ１と、第一の囲い溝ｍ１よりも外側に位置する周縁部に穿設されたナット部Ｎが設けられている。
【００２４】
第一の凹陥部ｋ１は、後ケース部材Ｄに設けられた凹陥部たる第二の凹陥部ｋ２と協働して遺灰を収容し得る収容空間ｓｐを形成し得るものである。第一の凹陥部ｋ１は、前方に向かって凹んでおり後方に向かって開放されている。この実施形態では、第一の凹陥部ｋ１は、背面視において略円形をなしている。第一の凹陥部ｋ１は、前ケース部材Ｃにおける上下方向及び左右方向の中間部に設けられている。
【００２５】
第一の囲い溝ｍ１は、背面視において四角環状に設けられている。第一の囲い溝ｍ１は、遺灰が収容された収容空間ｓｐに対して外部からの水の侵入を防ぐためのものである。すなわち、第一の囲い溝ｍ１には、防水材である防水用のシリコン樹脂Ｊが配設されるようになっている。
【００２６】
ナット部Ｎは、前ケース部材Ｃの周縁部における背面側に複数（この実施形態では十箇所）設けられている。ナット部Ｎには、後ケース部材Ｄに形成されたねじ挿通孔Ｅに挿入されたねじｖが螺合するようになっている。
【００２７】
＜後ケース部材Ｄ＞
後ケース部材Ｄの背面には、前ケース部材Ｃの前面と同様に表示Ｈを任意に示すことができるようになっている。後ケース部材Ｄの背面は略平滑面であり、その平滑面に対して例えばレーザー等を使用することにより表示Ｈを設けることができるようになっている。
【００２８】
後ケース部材Ｄの前面（内面）には、中央部に形成された凹陥部たる第二の凹陥部ｋ２と、第二の凹陥部ｋ２の外側を取り囲む囲い溝たる第二の囲い溝ｍ２が設けられている。また、後ケース部材Ｄの周縁部には、前後方向に貫通した複数のねじ挿通孔Ｅが設けられている。
【００２９】
第二の凹陥部ｋ２は、前ケース部材Ｃに設けられた第一の凹陥部ｋ１と協働して遺灰を収容し得る収容空間ｓｐを形成し得るものである。第二の凹陥部ｋ２は、後方に向かって凹んでおり前方に向かって開放されている。この実施形態では、第二の凹陥部ｋ２は、正面視において略円形をなしている。第二の凹陥部ｋ２は、前ケース部材Ｃに設けられた第一の凹陥部ｋ１に対応する位置すなわち後ケース部材Ｄにおける上下方向及び左右方向の中間部に設けられている。
【００３０】
第二の囲い溝ｍ２は、第一の囲い溝ｍ１に対応する位置に設けられたものである。第二の囲い溝ｍ２は、正面視において四角環状をなしている。第二の囲い溝ｍ２は、第一の囲い溝ｍ１と協働して遺灰が収容された収容空間ｓｐに対して外部からの水の侵入を防ぐためのものである。
【００３１】
すなわち、第一、第二の囲い溝ｍ１、ｍ２には、防水用のシリコン樹脂Ｊが配設されるようになっている。そして、第一、第二の囲い溝ｍ１、ｍ２に埋め込まれて定着した防水用のシリコン樹脂Ｊが、第一、第二の凹陥部ｋ１、ｋ２により構成された収容空間ｓｐに対する水の侵入を防ぐようになっている。
【００３２】
ねじ挿通孔Ｅは、前ケース部材Ｃのナット部Ｎに対応する位置に設けられている。つまり、前ケース部材Ｃと後ケース部材Ｄとは、後ケース部材Ｄに設けられたねじ挿通孔Ｅに挿入されたねじｖを前ケース部材Ｃのナットに螺着することにより、重ね合った状態で強固に固定されるようになっている。なお、ねじｖとしては、例えば、メガネ用ドライバーにより使用される細密ねじが適用される。
【００３３】
以上に述べた構成を有する遺灰入れＡのケース本体Ｂは、例えば、次のようにして遺灰を収容することができるようになっている。
【００３４】
まず、前ケース部材Ｃを、水平面である天板等の載置面に対して背面側を上にして載置する。
【００３５】
次に、前ケース部材Ｃの背面側に形成された第一の凹陥部ｋ１に対して、遺灰を入れる。なお、遺灰とは、遺骨を粉末状に砕いたものである。
【００３６】
その後、第一の囲い溝ｍ１に対して、防水用のシリコン樹脂Ｊを注入する。なお、シリコン樹脂Ｊは、後ケース部材Ｄに設けられた第二の囲い溝ｍ２にも充填され得る量を考慮して第一の囲い溝ｍ１に対して盛り入れられる。
【００３７】
しかる後に、前ケース部材Ｃに対して後ケース部材Ｄを上側から装着する。すなわち、後ケース部材Ｄの前面（内面）側を前ケース部材Ｃの背面（内面）側に添接させた後に、後ケース部材Ｄのねじ挿通孔Ｅに挿通したねじｖを前ケース部材Ｃのナット部Ｎに螺着することにより、前ケース部材Ｃと後ケース部材Ｄとが強固に接続されてなる遺灰入れＡのケース本体Ｂが完成する。
【００３８】
このように、本実施形態に係る遺灰入れＡは、カード状をなすケース本体Ｂを有し、当該ケース本体Ｂの内部に遺灰を収容し得る収容空間ｓｐが形成されたものである。そして、ケース本体Ｂが、正面視及び背面視において略矩形状をなすとともに厚み寸法が１．８〜２．２ｍｍの範囲内に設定されている。
【００３９】
このため、本実施形態に係る遺灰入れＡであれば、いわゆるカードサイズに近似した形状が実現されたものとなり携帯性に優れたものとなる。このようなものであれば、人や愛玩動物の遺灰をできるだけ身近に位置させておきたいというニーズに対して適切に対応できるものとなっている。
【００４０】
ケース本体Ｂが、矩形板状をなす前ケース部材Ｃと、前ケース部材Ｃと同じ大きさをなす矩形板状の後ケース部材Ｄとを有し、前ケース部材Ｃの背面側に後ケース部材Ｄが取り付けられたものである。そして、前ケース部材Ｃにおける背面側及び後ケース部材Ｄにおける前面側の双方に収容空間ｓｐを形成し得る凹陥部（第一の凹陥部ｋ１、第二の凹陥部ｋ２）が設けられている。
【００４１】
このため、前ケース部材Ｃと後ケース部材Ｄとを有する構成によって、強度にも優れるとともに所定量の遺灰を好適に収容し得る収容空間ｓｐが形成されたケース本体Ｂを提供することができるものとなっている。
【００４２】
前ケース部材Ｃと後ケース部材Ｄとが金属製のものであり、ねじｖにより相互に連結されている。このため、前ケース部材Ｃと後ケース部材Ｄとが安定的に連結されたものとなっている。しかも、前ケース部材Ｃと後ケース部材Ｄとが金属製のものであるため、ケース本体Ｂを振り動かすと収容空間ｓｐ内に収容された遺灰が金属に対して擦れ動くことになり、心地良い繊細な音を発し得るものとなっている。
【００４３】
ケース本体Ｂは、上下方向の寸法が４４ｍｍに設定されたものであり、左右方向の寸法が７５ｍｍに設定されたものである。このため、遺灰入れＡは、免許証やクレジットカード等のカードサイズに極めて近似したものとなり、免許証やクレジットカードと同様に、財布等に設けられたカード用のポケットに対して、遺灰入れＡを無理なく収容し得るものとなっている。
【００４４】
なお、本考案は、以上に詳述した実施形態に限られるものではない。ｆ
ケース本体は、前ケース部材と後ケース部材とによって構成されたものでなくてもよい。例えば、ケース本体に、遺灰を収容し得る収容空間を有する凹陥部を設け、その凹陥部を蓋部材により閉塞するように構成したものであってもよい。
【００４５】
遺灰を収容し得る収容空間を形成するための凹陥部は、前ケース部材及び後ケース部材の双方に形成されたものでなくてもよい。すなわち、前ケース部材及び後ケース部材の何れか一方にのみ凹陥部が形成されたものであってもよい。
【００４６】
凹陥部（第一、第二の凹陥部）の形状は種々の形状を採り得るものであり、上述した実施形態に示されたものに限られるものではない。
【００４７】
例えば、図５に示す遺灰入れＡは、形状の異なる複数の凹陥部を配設することによって、全体として花びらを想起させ得るデザインを施したものである。
【００４８】
例えば、図６に示す遺灰入れＡは、形状の異なる複数の凹陥部を配設することによって、全体として魂を想起させ得るデザインを施したものである。
【００４９】
例えば、図７に示す遺灰入れＡは、形状の異なる複数の凹陥部を配設することによって、全体として輪（わ）を想起させ得るデザインを施したものである。
【００５０】
ケース本体は、前ケース部材と後ケース部材とをねじにより接合したものに限られない。ケース本体は、前ケース部材と後ケース部材とを接着剤や溶接により接合したものであってもよい。
【００５１】
また、前ケース部材と後ケース部材とをねじにより接合する場合であっても、前ケース部材と後ケース部材とを接着するための接着剤や、ねじのゆるみ止め用の接着剤や、接着テープ等の接着手段を併用できるのはもちろんのことである。
【００５２】
前ケース部材や後ケース部材は、一体成形されたものに限られるものではない。例えば、平板状の板材に対して枠状の部材を接合することにより、前ケース部材や後ケース部材を作るようにしてもよい。
【００５３】
遺灰ケースは、縦長に設定されたものであってもよいのはもちろんのことである。
【００５４】
遺灰ケースは、金属製のものに限られるものではなく、合成樹脂製のものや木製のものやガラス製のものや陶磁製のものであってもよい。
【００５５】
その他、各部の具体的構成についても上記実施形態に限られるものではなく、本考案の趣旨を逸脱しない範囲で種々変形が可能である。
【符号の説明】
【００５６】
Ａ…遺灰入れ
Ｂ…ケース本体
Ｃ…前ケース部材
Ｄ…後ケース部材
【図１】
0003227710.tif 000003
【図２】
0003227710.tif 000004
【図３】
0003227710.tif 000005
【図４】
0003227710.tif 000006
【図５】
0003227710.tif 000007
【図６】
0003227710.tif 000008
【図７】
0003227710.tif 000009